(57)【要約】【課題】画像形成料金が投入金額の範囲内にあるとき印刷出力までの時間を短くする。【解決手段】両面画像形成装置は、感光体ドラムに原稿第１面画像の潜像を形成し、転写シートへの原稿第１面及び原稿第２面画像形成の準備をする（Ｓ２，Ｓ３）。印刷条件に基いて算出された画像形成料金により投入金額内で画像形成が可能か否かを印刷用紙毎に、原稿第１面画像の潜像を形成後、顕像化する前の間に判断し（Ｓ４，Ｓ５，Ｓ６）、判断結果により、原稿第１面画像の潜像を顕像化し、さらに原稿第２面画像の潜像形成とその顕像化を行い（Ｓ７，Ｓ８）、両面画像形成処理を行う（Ｓ９〜Ｓ１４）、又は両面印刷を終了する（Ｓ１４）。【選択図】        図５
2005024959.tif 000002
【特許請求の範囲】
【請求項１】
画像形成料金が投入金額の範囲内にあるとき画像形成が可能な画像形成装置において、
原稿画像を担持する像担持体に潜像が形成され現像されるまでの間に、印刷条件に基いて算出された画像形成料金が投入金額の範囲内か否かを判断する手段と、
範囲内でないとき、前記像担持体に形成された潜像の現像を停止する手段と、を備えたことを特徴とする画像形成装置。
【請求項２】
画像形成料金が投入金額の範囲内にあるとき画像形成が可能な画像形成装置において、
原稿画像を担持する像担持体に原稿画像の第１面の潜像が形成され現像されるまでの間に、又は第１面の潜像が現像後、第２面の潜像が形成され現像されるまでの間に、印刷条件に基いて算出された画像形成料金が投入金額の範囲内か否かを判断する手段と、
範囲内でないとき、前記像担持体に形成された原稿画像の第１面又は第２面の潜像の現像を停止する手段と、
を備えたことを特徴とする画像形成装置。
【請求項３】
請求項１又は２記載の画像形成装置において、
印刷条件を記憶する手段と、
前記範囲内でないとき、記憶手段から任意の印刷条件を選択する手段と、
を備え、選択された印刷条件に基いて画像形成料金を算出することを特徴とする画像形成装置。
【請求項４】
請求項３記載の画像形成装置において、
前記記憶手段は、当該印刷条件に基いて算出した画像形成料金の高低順の印刷条件の一覧を記憶していることを特徴とする画像形成装置。
【請求項５】
請求項４記載の画像形成装置において、
前記範囲内でないとき、選択された印刷条件に基いて算出された画像形成料金が投入金額範囲内になるまで印刷条件の一覧から順次印刷条件を選択するように制御する手段、
を備えたことを特徴とする画像形成装置。
【請求項６】
画像形成装置のコンピュータを、
原稿画像を担持する像担持体に原稿画像の第１面又は第２面の潜像が形成され現像されるまでの間に、印刷条件に基いて算出された画像形成料金が投入金額の範囲内か否かを判断する手段、
前記判断結果により、前記像担持体に形成された原稿画像の第１面又は第２面の潜像の現像を実行させ、又は停止させる手段、
として機能させるためのプログラム。
【請求項７】
請求項６記載のプログラムを記録したコンピュータ読み取り可能な記録媒体。
【発明の詳細な説明】
【０００１】
【発明の属する技術分野】
本発明は、画像形成料金が投入金額の範囲内にあるとき画像形成が可能な画像形成装置、プログラム並びに記録媒体に関する。
【０００２】
【従来の技術】
従来、複写機とこれに接続される自動販売機からなる画像形成販売装置が、図書館、コンビニエンスストア等において広く利用されている。この画像形成販売装置は、概ね次のようなものである。
複写機では、ユーザーにより用紙サイズ、画像形成枚数、フルカラー印刷か白黒印刷かの区別等の画像形成条件（以下、印刷条件）を設定し、スタートボタンによる画像形成開始の指示とともに、自動販売機に対して前記印刷条件での料金テーブル上の単価及び投入金額の通知を要求する。
【０００３】
自動販売機（以下、自販機）では、硬貨投入をチェックし投入金額を通知し、また画像形成動作を可能にする信号（画像形成動作可能信号）を送信する。次いで前記要求に基いて前記印刷条件での単価を送信する。
【０００４】
複写機では、コピー料金（印刷枚数×単価）を求め自販機に通知する。またこのコピー料金と通知された投入金額により、投入金額が足りないか否かを判断する。投入金額が足りない場合は、その旨を表示部に表示する。
【０００５】
自販機では、投入金額と複写機から送信されたコピー料金を比較して、投入金額が足りないか判断し、足りない場合は、前記画像形成動作可能信号をオフにし、充足している場合はオンにする。
【０００６】
複写機では、画像形成動作可能信号をチェックしてオンの場合は、画像形成動作を許可する。そして原稿画像が印刷された転写用紙が排紙されるタイミングで課金要求を自販機へ出力する。
【０００７】
自販機では、課金要求の有無をチェックし、課金要求が入力されていれば、投入金額と複写機から通知されたコピー料金を比較し、足りないときは複写機に通知し、複写機はその旨を表示する。また自販機では、投入金額がコピー料金以上であれば、投入金額から排紙毎の減額する。
【０００８】
複写機では、画像形成が全て完了した否かをチェックし、全て完了した場合においては自販機から返却レバーの押下が通知されたか否かをチェックし、押下が通知されていれば、コピー条件をクリアし、自販機に対して料金表示をオフにするよう指示する（特許文献１参照）。
【０００９】
【特許文献１】特開２００２−９２７３３号公報（段落番号（００１９）、（００２０）、（００２２）、（００２３）、（００２５）、（００２６）、（００２７）、（００２８）、（００２９））
【００１０】
上記画像形成販売装置によれば、複写機は、自販機が読み出してくれた料金テーブル上の単価を取得して、この単価と印刷枚数に基き印刷料金の総額を算出し、これを自販機に送信している。そして自販機は、投入料金と総額とを比較し、不足がなければ画像形成動作オン信号を返し、このオン信号により画像形成を行い、排紙毎に料金の引き去りを行う。したがって、印刷単価と印刷枚数による総印刷料金の枠内で印刷が行われるので、ユーザーは常に自ら設定した印刷条件のもとで所定の枚数の印刷結果を入手することができる。
【００１１】
【発明が解決しようとする課題】
しかしながら、上述の画像形成販売機は、印刷条件によるが投入金額の枠内に収まるか否かを複写機と自販機との間で通信のやり取りによりチェックし、枠内に収まるまで印刷料金の投入を求めるので、ユーザーが急いで印刷結果を入手したいような場合、手持ち金額との関連で印刷料金の投入が円滑に行えない場合、印刷開始までに時間がかかり、複写物の入手が遅れるということがあった。
【００１２】
本発明は、上述の実情に鑑みてなされたものであり、その第１の目的は、印刷物、複写物等の画像形成結果物の入手を短時間に行えるようにすることであり、第２の目的は、投入金額が不足する場合においても印刷（複写）枚数を変更することなく画像形成結果物が得られるようにすることである。また第３の目的は、画像形成装置の使い勝手をよくすることである。
【００１３】
【課題を解決するための手段】
請求項１の発明は、画像形成料金が投入金額の範囲内にあるとき画像形成が可能な画像形成装置において、原稿画像を担持する像担持体に潜像が形成され現像されるまでの間に、印刷条件に基いて算出された画像形成料金が投入金額の範囲内か否かを判断する手段と、範囲内でないとき、前記像担持体に形成された潜像の現像を停止する手段と、を備えたことを特徴とする画像形成装置である。
【００１４】
請求項２の発明は、画像形成料金が投入金額の範囲内にあるとき画像形成が可能な画像形成装置において、原稿画像を担持する像担持体に原稿画像の第１面の潜像が形成され現像されるまでの間に、又は第１面の潜像が現像後、第２面の潜像が形成され現像されるまでの間に、印刷条件に基いて算出された画像形成料金が投入金額の範囲内か否かを判断する手段と、範囲内でないとき、前記像担持体に形成された原稿画像の第１面又は第２面の潜像の現像を停止する手段と、
を備えたことを特徴とする画像形成装置である。
【００１５】
請求項３の発明は、請求項２記載の画像形成装置において、印刷条件を記憶する手段と、前記範囲内でないとき、記憶手段から任意の印刷条件を選択する手段とを備え、選択された印刷条件に基いて画像形成料金を算出することを特徴とする画像形成装置である。
【００１６】
請求項４の発明は、請求項３記載の画像形成装置において、前記記憶手段は、当該印刷条件に基いて算出した画像形成料金の高低順の印刷条件の一覧を記憶していることを特徴とする画像形成装置である。
【００１７】
請求項５の発明は、請求項４記載の画像形成装置において、前記範囲内でないとき、選択された印刷条件に基いて算出された画像形成料金が投入金額範囲内になるまで印刷条件の一覧から順次印刷条件を選択するように制御する手段、
を備えたことを特徴とする画像形成装置である。
【００１８】
請求項６の発明は、画像形成装置のコンピュータを、原稿画像を担持する像担持体に原稿画像の第１面又は第２面の潜像が形成され現像されるまでの間に、印刷条件に基いて算出された画像形成料金が投入金額の範囲内か否かを判断する手段、前記判断結果により、前記像担持体に形成された原稿画像の第１面又は第２面の潜像の現像を実行させ、又は停止させる手段、として機能させるためのプログラムである。
【００１９】
請求項７の発明は、請求項６のプログラムを記録したコンピュータ読み取り可能な記録媒体である。
【００２０】
【発明の実施の形態】
以下、本発明の実施形態を図面を参照して説明する。
図１は、本発明の実施形態に係るカラー両面複写機及びこれに接続される複写料金徴収機能を有するコインラックの正面概略図であり、図中、カラー両面複写機６０とコインラック７０は、接続ケーブル８０によって接続されている。
【００２１】
図２は、図１のカラー両面複写機６０とコインラック７０の内部構成のブロック図であり、図中、カラー両面複写機６０は、システムコントローラ６１、操作パネル制御装置６２、画像入力制御装置６３を有する。またコインラック７０は、印刷条件料金記憶部７１、印刷料金算出部７２、印刷可否判定部７３、投入金額表示部７４、残金表示部７５を有する。
【００２２】
現金自動支払いによって複写を行おうとするユーザーは、カラー両面複写機６０の操作パネル制御装置６２から用紙サイズ、印刷枚数、カラー又はモノクロ印刷の区別、用紙第１面はカラー印刷、第２面はモノクロ印刷のような印刷種別等の印刷条件を入力すると、システムコントローラ６１は、この印刷条件をコインラック７０の印刷料金算出部７２に送信する。印刷料金算出部７２は、印刷条件料金記憶部７１から基本料金を読み出し、印刷条件に対応した印刷料金を算出する。ユーザーにより所要の金額が投入されると、その金額が投入金額表示部２４に表示されるとともに、印刷可否判定部７３は算出された印刷料金と投入金額とに基いて印刷可否を判定し、判定結果をシステムコントローラ６１に送信する。投入金額が印刷金額より多ければ印刷可、少なければ印刷否と判断される。システムコントローラ６１は、印刷可否信号が印刷可の場合、印刷可否判定部７３へ課金信号を送信し、コインラックは印刷用紙毎に課金を行う。課金が行われると、課金された金額が投入金額から支払われ、残金が残金表示部２５に表示される。課金信号の送信によって画像入出力制御装置６３は画像形成を開始する。この動作は、１枚の複写が行われる毎にコインラック７０とカラー両面複写機６０との間で通信のやり取りを行いながら、投入金額に不足が生じなければ印刷条件の枚数に到達するまで行われる。
【００２３】
図３は、カラー両面複写機の電装レイアウトのブロック図である。図３を参照して内部ブロックの構成を説明すると、システムコントローラ６１のＣＰＵ６０５は、カラー両面複写機全体及びシステムコントローラ１２を制御し、ＲＯＭ６０４はその制御用プログラムを記憶している。ＲＡＭ６０３はＣＰＵ６０５が各種作業を行うときプログラムやデータ等を一時的に記憶する。ＮＶＲＡＭ６０２は不揮発性メモリであり、副走査倍率調整値、主走査倍率調整値、後述する印刷条件一覧等を記憶する。外部機器通信制御６０６は、ＦＡＸ、プリンタで使用するコインラック等の外部機器との通信制御を行う。
【００２４】
システムＩ／Ｆ６０７は、ＣＰＵ６０５の命令により、システムコントローラ内で処理されるＦＡＸデータ、プリンタデータの転送制御を行う。ワークメモリ６０１ｂは、プリンタで使用する画像展開用のメモリである。フレームメモリ６０１ａは読み取り画像や書き込み画像のイメージデータを記憶する作業用メモリであり、イメージデータは符号化されたデータ又はドットイメージデータである。更にＦＩＦＯバッファ６０９は、入力画像をフレームメモリ６０１ａに書込むとき、データ転送速度の変換を行い、ＦＩＦＯバッファ６０８はフレームメモリ６０１ａの画像データを出力画像としてデータ転送するとき、転送速度の変換を行う。更に又、メモリコントローラ６１０は、ＣＰＵ６０５の制御なしにフレームメモリ６０１ａとバス間の画像の入出力をコントロールする。バス制御６１１，６１２，６１３は、画像データバス／制御コマンドバス６４を通してシステムコントローラ６１及び画像入出力装置６３並びにコインラック７０と各種命令やデータのやり取りを行う。
【００２５】
操作パネル制御装置６２のＣＰＵ６１７は、操作パネル制御装置６２を制御し、ＲＯＭ６１６は操作パネル制御装置６２のその制御プログラムを記憶し、ＲＡＭ６１８はＣＰＵ６１７が作業する時にアプリケーションプログラムや作業データを一時的に展開する。入力装置６１４は液晶タッチパネル式の入力パネル、表示装置は液晶型の表示パネルであり、バス制御６１９は、画像データバス／制御コマンドバス６４を通してシステムコントローラ６１及び画像入出力制御装置６３と各種命令やデータのやり取りを行う。
【００２６】
画像入出力制御装置６３のＣＰＵ６２５は、画像入出力制御装置６３全体を制御し、ＲＯＭ６２９は画像入出力制御装置６３の制御プログラムを記憶し、ＲＡＭ６２８はＣＰＵ６２５の作業時にアプリケーションプログラムや作業データを一時的に展開する。画像読み取りユニット６２４は原稿台上の原稿を光学的に走査して読み取り、読み取られた原稿画像は、バス制御６２１、画像データバス／制御コマンドバス６４、システムコントローラ６１のバス制御６１１を経由してシステムコントローラ６１に転送され、フレームメモリ６０１ａに順次ページ単位の印刷イメージデータとして整えられ、再度、画像入出力制御装置６３の画像書き込みユニット６２３に転送される。画像書き込みユニット６２３は、印刷イメージデータを図４で後述する電子写真プロセスユニット６２６の感光体ドラムに露光により書き込む。電子写真プロセスユニット６２６は、書込まれたデータからカラー又はモノクロ用の画像形成を行い、転写搬送制御６２７によりタイミングを調整して搬送される転写用紙の片面又は両面に印刷画像を形成する。
【００２７】
図４は、電子写真プロセスユニットを説明するためのカラー両面複写機の縦断面図である。
はじめに電子写真プロセスユニットの構成、動作について説明する。
図４において、電子写真プロセスユニット６２６は、複写機本体のほぼ中央に、第１像担持体である感光体ドラム１、その外周部に配置される、除電装置Ｌ、クリーニング装置２、帯電装置３、現像装置５を有する画像形成部ａ，ｂ，ｃ，ｄを有する。画像形成部ａ，ｂ，ｃ，ｄは、イエロー（Ｙ）、マゼンタ（Ｍ）、シアン（Ｃ）及びブラック（Ｂｋ）の各色の画像形成プロセス用として、同じ構成により４組設けられるものであり、後述する中間転写ベルト１０の矢印で示す進行方向に対してＹ，Ｍ，Ｃ，Ｋの順に配置される。
【００２８】
感光体ドラム１は、直径が３０乃至１００ｍｍ程度のアルミニウム製の円筒からなり、その表面に光導電物質である有機半導体の層が設けられる。そして感光体ドラム１表面の一部が後述する中間転写ベルト１０に接する。
【００２９】
画像形成部ａ，ｂ，ｃ，ｄの下方には露光装置４（図３の書込みユニット６２４）が設けられ、そのレーザ光源から発せられるレーザ光が画像読取ユニット６２４で読み取られた原稿画像のデータにより変調され、帯電装置３と現像装置５の間の書き込み位置から一様に帯電された感光体ドラム１に照射される。
【００３０】
なお、レーザ光走査方式の代わりにＬＥＤアレイと結像装置が用いられることがある。
【００３１】
画像形成部ａ，ｂ，ｃ，ｄの各感光体ドラム１と接するように、第２像担持体である第１中間転写ベルト１０が、回転ローラ１１，１３，１２に支持され、これら回転ローラによる３点で張架されている。
【００３２】
第１中間転写ベルト１０は、基体の厚みが５０乃至６００μｍの樹脂フィルム又はゴムであり、感光体ドラム１からトナー像を転写可能にする抵抗値を有する。
【００３３】
第１中間転写ベルト１０の裏側（ベルトループ内側）には、各感光体ドラム１毎に第１の転写手段２０が感光体ドラム１近傍に配備される。また第１中間転写ベルト１０のループ外側には、この中間転写ベルト用のクリーニング装置２５が配備され、不要な残留トナーを掻き落し、第１中間転写ベルト１０のクリーニングを行う。
【００３４】
更に電子写真プロセスユニットは、図４の本体右方に第３の像担持体である第２中間転写ベルト１００を有する。第２中間転写ベルト１００は、基体の厚みが５０乃至６００μｍの樹脂フィルム又はゴム製であり、第１中間転写ベルト１０からトナー像を転写可能にする抵抗値を有する。
【００３５】
第２中間転写ベルト１００は、第１中間転写ベルト１０の移動方向と同じ方向、図中、半時計回りに走行するように回転ローラ１１１，１１２，１１３により支持され、これら回転ローラによる３点で張架されている。第２中間転写ベルト１００は、裏側（ループ内側）には第２の転写手段１２０が配備されている。またその表側（ループ外側）には、チャージャＣＨ、クリーニング装置２５０を備える。
【００３６】
第１中間転写ベルト１０と第２中間転写ベルト１００は、第１中間転写ベルト１０の回転ローラ１１と、第２中間転写ベルト１００の回転ローラ１１３及び転写手段１２０とにより接触し、予め定められた転写ニップを形成している。
【００３７】
画像形成部ａ，ｂ，ｃ，ｄの更に下方には、給紙装置（給紙カセット）２６ａ，２６ｂが設置され、給紙装置２６ａ，２６ｂにはそれぞれ転写用紙Ｐが収納される。転写用紙Ｐは、印刷が開始されると、転写紙搬送制御６２７（図３）により最上の用紙から給紙ローラ２７により１枚ずつ複数の給紙ガイド２９を経てレジストローラ対２８に搬送され、レジストローラ対２８から第１中間転写ベルト１０と第２中間転写ベルト１００との間の転写ニップに供給される。
【００３８】
画像形成装置の上方に、トナー像が転写されている転写用紙のトナー像を転写用紙に加熱、溶融して定着するための定着装置３０、トナー像が定着した転写用紙を排紙スタック４０に案内する排紙ガイド３１、前記転写用紙を搬送する排紙ローラ対３２が設けられる。
【００３９】
画像形成部ａ，ｂ，ｃ，ｄの上方で排紙スタック４０の下方には、補給用のトナーを収納するトナー収納部ＴＳが設けられる。またＭ，Ｃ，Ｙ，Ｂｋの４色がカートリッジＴＣの形態で収納されている。
【００４０】
更にカラー両面プリンタ装置本体のフレームの一部５０は、開閉支軸５０Ａを中心として回動、開放が可能である。この構成により、転写用紙の搬送路は大きく開き、ジャムした転写用紙の取り出しを容易にしている。
【００４１】
次に、前記構成になる電子写真プロセスユニット６２６の両面印刷の動作について説明する。本電子写真プロセスユニットでプリントしようとする原稿画像は、画像読み取りユニット６２４で読み取られた原稿画像である。カラー両面複写機は、この原稿画像を受信すると、露光装置４が駆動され、露光装置のレーザ光源からのレーザ光は、モータにより回転するポリゴンミラーによって走査され、ミラー、レンズ等の光学系を経て、画像形成部ａ、ｂ、ｃ、ｄの帯電装置３により一様に帯電された、画像形成部ａ，ｂ，ｃ，ｄの第１の像担持体である感光体ドラム１に照射され、感光体１上に原稿画像の書き込み情報に対応した潜像を形成する。
【００４２】
画像形成部ａの感光体１上の静電潜像は、現像装置５によって現像され、トナー（マゼンタ）像が画像形成部ａの感光体ドラム１の表面に形成、保持される。画像形成部ａの感光体１上のトナー（マゼンタ）像は、第２の像担持体である第１中間転写ベルト１０の裏側に設置された第１転写手段２０により、画像形成部ａ，ｂ，ｃ，ｄの各感光体ドラム１と同期して走行する第１中間転写ベルト１０の表面に転写される。
【００４３】
画像形成部ａの感光体ドラム１の表面は、残存するトナーがクリーニング装置２でクリーニングされ、除電装置Ｌで除電され、次のサイクルに備える。第１中間転写ベルト１０は、表面に転写されたトナー像を担持して図４に示す反時計回りに走行する。
【００４４】
画像形成部ｂにおいても画像形成部ａと同じ動作により感光体ドラム１の表面にトナー（シアン）像が形成、保持される。このとき、先に第１中間転写ベルト１０に転写されたトナー（マゼンタ）像が第１中間転写ベルトの走行に伴って画像形成部ｂに到達するので、トナー（シアン）像はこのトナー（マゼンタ）像に重ねて転写される。同じようにして、更に画像形成部ｃ、ｄで形成されるトナー（イエロー）像、トナー（ブラック）像がそれぞれその上に重ねて転写される。つまり最終的には第１中間転写ベルト１０に４色重ね合わされた顕像（顕像１）が形成、保持されることになる。
【００４５】
第１中間転写ベルト１０の走行と同期して第２中間転写ベルト１００が走行しているので、第１中間転写ベルト１０に転写された顕像１は、第２転写手段１２０により第１中間転写ベルト１０から第２中間転写ベルト１００に転写される。
【００４６】
ここで、転写用紙の両面に画像を得る場合、先に形成する画像（顕像１）が転写される転写用紙面を用紙第１面といい、後から形成する画像（顕像２）が転写される転写用紙面を用紙第２面という。
【００４７】
この後、第１中間転写ベルト１０が所定のところまで走行すると、転写用紙の用紙第２面に作成されるべきトナー像が画像形成部ａ，ｂ，ｃ，ｄで作成され始め、給紙が開始される。給紙ローラ２７が矢印方向に回転すると、給紙カセット２６の最上部にある転写用紙Ｐが引き出され、給紙ガイド２９を経てレジストローラ対２８に搬送される。
【００４８】
第２中間転写ベルト１００は、第１中間転写ベルト１０と同期して走行し、第２中間転写ベルト１００に転写された顕像１は、１回りして第１中間転写ベルト１０と第２中間転写ベルト１００が接触する位置に搬送される。そして、レジストローラ対２８を経て第１中間転写ベルト１０と第２中間転写ベルト１００の間に送られる転写用紙の用紙第１面に、まず第２中間転写ベルト１００の顕像１が第２転写手段１２０により転写される。この転写に際して、転写用紙と顕像１の位置が正規のものとなるよう、レジストローラ対２８によりタイミングがとられて搬送される。
【００４９】
第２中間転写ベルト１００が、該第２中間転写ベルト１００に顕像１を担持して１回りする間、第１中間転写ベルト１０に、転写用紙の用紙第２面に転写するトナー像（顕像２）が形成、保持され、転写用紙との接触面に搬送される。そして転写用紙の第２面は第１中間転写ベルト１０の顕像２と共に（用紙第２面がベルト１０上に転写された顕像２に密着されて）移動する。転写用紙がチャージャＣＨの作用領域を通過すると、チャージャＣＨに電圧が印加され、第１中間転写ベルト１０の顕像２が用紙第２面に転写される。このときも、顕像２の位置が正規の位置となるようタイミングがとられて搬送される。
【００５０】
第２転写手段１２０とチャージャＣＨの作用で転写用紙の両面にトナー像が転写された前記転写用紙は、定着装置３０に送られる。ここで定着ローラにより転写用紙上のトナー像（両面）が一度に定着される。定着後の転写用紙は、ガイド対３１を経て排紙ローラ対３２により本体フレーム上の排紙スタック４０に排紙Ａされる。
【００５１】
図４に示すように排紙スタック４０を構成した場合、両面画像のうち後から転写用紙に転写される画像、即ち第１中間ベルト１０から直接転写される画像は用紙の下面となって排紙スタック４０に排紙される。このため、ページ揃えをするには、転写用紙の第２頁目に転写される画像を先に第２中間転写ベルト１００に形成保持し、第１頁に転写される画像を第１中間転写ベルト１０から直接転写するようにすればよい。
【００５２】
第２中間転写ベルト１００から転写用紙にトナー像が転写された後、内部に公知のブラシローラ、回収ローラ、ブレード等を備えたクリーニング装置２５０は、第２中間転写ベルト１００の表面に残留する不要のトナーや紙粉を除去する。図４では、クリーニング装置２５０が第２中間転写ベルト１００から離れた状態を示しているが、クリーニング装置２５０自体は、支軸２５０Ａを中心として揺動可能で、第２中間転写ベルト１００表面に接離可能な構造になっている。転写用紙に転写する作業前で、第２中間転写ベルト１００がトナー像を搬送しているとき離し、クリーニングが必要なとき、図４で反時計回りに揺動し接触させる。除去されたトナー、紙粉はトナー収容部２５０Ｂに集めて廃棄等の処理を行う。
【００５３】
（実施形態１）次に、本発明の実施形態に係る両面画像形成に対して課金した後に用紙第１面及び用紙第２面に画像形成を行うカラー両面複写機について説明する。
図５は、課金後に両面画像形成を行う処理のフロー図であり、フロー図を参照して説明する。まずユーザーにより操作パネル制御装置の入力装置６１４から、印刷の形態（両面印刷か片面印刷かの区別、本実施形態では両面印刷）、用紙サイズ、フルカラー印刷と白黒印刷の区別、印刷枚数等の印刷条件が入力されると、印刷要求がシステムＩ／Ｆ６０７、外部機器通信制御６０６により画像データバス／制御コマンドバス６４を経てシステムコントローラ６１側に伝えられる。システムコントローラ６１は、システムＩ／Ｆ６０７により印刷要求を認識する。この認識により画像入出力制御装置６３を駆動し両面印刷を開始する（Ｓ１）。なお、Ｓは処理のステップを表す。
【００５４】
そして、用紙第１面に画像形成するために露光装置４のレーザ光源、画像形成部ａ，ｂ，ｃ，ｄの帯電装置、現像装置等を駆動し、感光体ドラム１０に書込みを行って潜像を形成する。即ち、用紙第１面画像、及び第２面画像形成の準備をする（Ｓ２、Ｓ３）。
【００５５】
このときシステムコントローラ６１のＣＰＵ６０５は、画像形成工程のタイミングを監視しており、前記準備終了のタイミング、つまり顕像を形成する前のタイミングで、システムＩ／Ｆ６０７、外部機器通信制御６０６により印刷条件をコインラック７０に送信する（Ｓ４）。
【００５６】
コインラック７０は、図２で説明したように印刷料金を算出し、この印刷料金と投入金額とに基き印刷可否を判断し、印刷可否信号をシステムコントローラ６１に送信する。システムコントローラ６１は印刷可否信号を受信し（Ｓ５）、ＣＰＵ６０５は印刷可否信号が印刷否かどうかを判断する（Ｓ６）。印刷否の場合（Ｓ６，ＹＥＳ）、両面印刷処理を終了する。なお、このときユーザーに対して不足金額の投入を促し、投入されれば印刷を再開し、投入がなく印刷停止が指示されれば、準備モードを解消する。
【００５７】
印刷否でない、つまり印刷可と判定した場合（Ｓ６，ＮＯ）、システムコントローラ６１は、コインラックへ用紙第１面と用紙第２面の両面分の料金を含む課金信号を送信し、コインラックは料金の徴収（投入金額からの引き落とし）を開始する。この課金信号の送信によってＣＰＵ６０５は、準備状態から画像形成状態への移行を許可する。従って、感光体１に用紙第１面の画像形成（顕像形成）を行い、これを第１中間転写ベルト１０へ転写し、更に第２中間転写ベルト１００に転写する（Ｓ７）。第２中間転写ベルト１００が用紙第１面用の画像を担持して１回りする間に、感光体１による用紙第２面の画像形成（顕像形成）を行い、第１中間転写ベルト１０へ転写する（Ｓ８）。
【００５８】
転写紙搬送ユニット６２７は、これらの画像形成とタイミングを合わせて給紙カセット２６の最上部にある転写用紙Ｐを引き出し、引き出された転写用紙Ｐは、給紙ガイド２９を経てレジストローラ対２８に搬送される（Ｓ９）。このときレジストを停止、印刷面の直角性を補正し（Ｓ１０）、第１中間転写ベルト１０に転写された第２面画像と既に第２中間転写ベルト１００に転写された第１面画像が所定の位置で転写用紙に転写されるタイミングで再スタートする（Ｓ１１）。
【００５９】
レジストローラ対２８を通過後、第１中間転写ベルト１０と第２中間転写ベルト１００の間に搬送される転写用紙Ｐの片側の面に、第１中間転写ベルト１０のトナー像が第２転写手段１２０により転写される。この転写用紙Ｐは上方に搬送され、第２中間転写ベルト１００表面のトナー像がチャージャＣＨにより他の面に転写される（Ｓ１２）。トナー像が両面連続転写された転写用紙Ｐは、定着装置３０によりトナー像が定着され、排紙される（Ｓ１３）。そしてこの処理を終了する（Ｓ１４）。この処理に基く画像形成は、残金の範囲で印刷条件で設定された枚数に到達するまで繰り返し継続される。
【００６０】
本実施形態によれば、まず、用紙第１面画像の形成を潜像形成までの準備段階にしておき、顕像前のタイミングで印刷料金と投入金額とに基いて印刷可否を判断し、料金不足の場合、画像形成作業を中止するので、画像形成の無駄な動作をなくすことができ、またトナーの消費を抑制することができる。また不足でない場合、直ちに顕像形成状態に移行して画像形成を行うので、用紙１枚当りの画像形成時間が短縮し、従って、全体としての画像形成時間が短縮する。
【００６１】
（実施形態２）続いて、両面画像形成において課金前に料金不足のため印刷が拒否される事態が発生したとき、印刷可能となる印刷条件を選択し、設定するカラー両面複写機について説明する。
図６は、料金不足のため印刷が拒否される事態が発生したとき、残金で印刷可能となる印刷条件を設定する処理のフロー図であり、フロー図を参照して説明する。
この処理において、両面印刷の開始から終了までの基本的な処理は実施形態１で述べてステップＳ１からＳ１４までの処理（図５）と同じである。従って、重複を避けるためこの部分の説明は省略する。図６のステップＳ６で、システムコントローラ６１は、ＣＰＵ６０５がコインラックから受信した印刷可否信号により、印刷可否信号が印刷否であると判断した場合（Ｓ６，ＹＥＳ）、実施形態１のように直ちに両面印刷を終了することなく、ＮＶＲＡＭ６０２の情報テーブルから元の印刷条件より低価格で同等の印刷効果が得られると判断する印刷条件、例えばフルカラー印刷を白黒印刷に変更、を任意に選択する（Ｓ１５）。そして残金の範囲で選択した印刷条件の設定が可能か否かを判断する（Ｓ１６）。選択した印刷条件の設定不可能な場合、つまり低価格での印刷条件がない場合は、両面印刷を終了する。設定不可能でない場合（Ｓ１６，ＹＥＳ）、選択した印刷条件を設定し（Ｓ１７）、ステップＳ４にリターンする。
【００６２】
本実施形態によれば、最初の印刷条件で印刷を進め、最後に、最初の印刷条件で印刷ができなくなったとき、印刷条件を変更することにより金額を追加することなく残金の範囲で印刷を継続することができる。
【００６３】
（実施形態３）両面画像形成において課金前に料金不足のため印刷が拒否される事態が発生し、印刷可能となる印刷条件を選択したとき、選択した印刷条件を表示するカラー両面複写機について説明する。
図７は、料金不足のため印刷が拒否される事態が発生したとき、印刷可能となる印刷条件を選択し、選択した印刷条件を表示する処理のフロー図であり、フロー図を参照して説明する。
この処理において、両面印刷の開始から終了までの基本的な処理は実施形態１で述べてステップＳ１からＳ１４までの処理（図５）と同じである。従って、重複を避けるためこの部分の説明は省略する。図７のステップＳ６で、システムコントローラ６１は、ＣＰＵ６０５がコインラックから受信した印刷可否信号により、印刷可否信号が印刷否であると判断した場合（Ｓ６，ＹＥＳ）、実施形態１のように直ちに準備状況を解除して両面印刷を終了することなく、ＮＶＲＡＭ６０２の情報テーブルから元の印刷条件より低価格で同等の印刷効果が得られると判断する印刷条件、例えばフルカラー印刷を白黒印刷に変更、を任意に選択し、それを操作パネル制御装置６２の表示装置６１５に表示し、更に印刷を継続することを表示する（Ｓ２５）。そして選択した印刷条件の設定が可能か否かを判断する（Ｓ２６）。選択した印刷条件の設定が可能でない場合、つまり低価格での印刷条件がない場合は（Ｓ２６，ＮＯ）、上記表示を印刷可能な印刷条件が設定できない、従って印刷を中断する表示に表示替えし（Ｓ２７）、準備状況を解除して両面印刷を終了する（Ｓ１４）。設定可能な場合（Ｓ２６，ＹＥＳ）、選択した印刷条件を設定し（Ｓ２８）、ステップＳ４にリターンする。
【００６４】
本実施形態によれば、ユーザーは料金不足により印刷条件の変更が行われること及び、印刷条件を変更しても残金内で印刷ができないことを表示により確認できるので、カラー両面複写機の使い勝手がよくなる。
【００６５】
（実施形態４）両面画像形成において課金前に料金不足のため印刷が拒否される事態が発生したとき、印刷可能となる印刷条件の選択及び設定状況を表示又は不表示にするカラー両面複写機について説明する。
図８は、料金不足のため印刷が拒否される事態が発生したとき、印刷可能となる印刷条件を選択し、選択した印刷条件を表示又は不表示にする処理のフロー図であり、フロー図を参照して説明する。
【００６６】
この処理において、両面印刷の開始から終了までの基本的な処理は実施形態１で述べてステップＳ１からＳ１４までの処理（図５）と同じである。従って、重複を避けるためこの部分の説明は省略する。また、この処理のためにシステムコントローラ６１のＮＶＲＡＭ６０２には、印刷条件の選択及び設定状況を表示するか又は表示しないようにするか情報が記憶され、システムコントローラ６１の入力装置６１４から予めユーザーによりこれらのいずれかがＲＡＭ６０３にセットされているものとする。また、同様に、低価格での印刷条件の設定をするか又はしないようにするかの情報も記憶され、そのいずれかがＲＡＭ６０３にセットされているものとする。
【００６７】
図８のステップＳ６で、システムコントローラ６１は、ＣＰＵ６０５がコインラックから受信した印刷可否信号により、印刷可否信号が印刷否であると判断した場合（Ｓ６，ＹＥＳ）、ＣＰＵ６０５はＲＡＭ６０３にアクセスし、印刷否であることを表示しないか否か判断する（Ｓ３５）。印刷否であることを表示しないと判断しないとき（Ｓ３５，ＮＯ）、ＮＶＲＡＭ６０２の情報テーブルから元の印刷条件より低価格で同等の印刷効果が得られると判断される印刷条件、例えばフルカラー印刷を白黒印刷に変更、を任意に選択し、それを操作パネル制御装置６２の表示装置６１５に表示し、更に印刷を継続することを表示する（Ｓ３６）。そして選択した印刷条件が設定可能か否かを判断する（Ｓ３７）。
【００６８】
選択した印刷条件の設定が不可能な場合、つまり低価格での印刷条件がない場合は（Ｓ３７，ＮＯ）、更にＲＡＭ６０３にアクセスし該印刷条件の表示をしないか否かを判断する（Ｓ３８）。表示しないと判断しない場合（Ｓ３８，ＮＯ）、印刷可能な印刷条件の設定ができないこと、従って印刷を中断することを表示し（Ｓ３９）、準備状況を解除して両面印刷を終了する（Ｓ１４）。表示しないと判断する場合（Ｓ３８，ＹＥＳ）、そのまま準備状況を解除して両面印刷を終了する（Ｓ１４）。ステップＳ３７において、設定可能な場合（Ｓ３７，ＹＥＳ）、選択した印刷条件を設定し（Ｓ４０）、ステップＳ４にリターンする。
【００６９】
本実施形態によれば、料金不足により印刷条件の変更が行われること及び、印刷条件を変更しても残金内で印刷ができないことの確認を表示し、或いは不表示にする選択を可能にしているので、カラー両面複写機の設置環境に応じた使い勝手がよくなる。
【００７０】
（実施形態５）両面画像形成において課金前に料金不足のため印刷が拒否される事態が発生したとき、印刷可能となる印刷条件の複数の一覧から、設定可能な印刷条件が見つかるまで選択するカラー両面複写機について説明する。
図９は、料金不足のため印刷が拒否される事態が発生したとき、印刷可能となる印刷条件の一覧から、設定可能な印刷条件を選択する処理のフロー図であり、フロー図を参照して説明する。
【００７１】
この処理において、両面印刷の開始から終了までの基本的な処理は実施形態１で述べてステップＳ１からＳ１４までの処理（図５）と同じである。従って、重複を避けるためこの部分の説明は省略する。また、この処理のためにシステムコントローラ６１のＮＶＲＡＭ６０２には、当該印刷条件に基いて算出された画像形成料金の高低順の印刷条件一覧が記憶されている。
【００７２】
図８のステップＳ６で、システムコントローラ６１は、ＣＰＵ６０５がコインラックから受信した印刷可否信号により、印刷可否信号が印刷否であると判断した場合（Ｓ６，ＹＥＳ）、ＣＰＵ６０５はＲＡＭ６０３にアクセスし、印刷条件の一覧を読み出し、表示し、且つ印刷を継続することを表示装置６１５に表示する（Ｓ４５）。そして一覧から既に設定した印刷条件より安価な印刷条件を選択し（Ｓ４６）、選択した印刷条件が設定可能か否かを判断する（Ｓ４７）
【００７３】
このとき設定可能な印刷条件でないと判断されたとき（Ｓ４７，ＮＯ）、システムコントローラは、設定可能な印刷条件がないことを表示装置６１５に表示するとともに印刷を継続するか否かの問い合わせを表示し（Ｓ４８）、ユーザーの応答を待つ（Ｓ４９）。
【００７４】
ユーザーにより印刷継続が指示された場合（Ｓ４９，ＹＥＳ）、ステップＳ４５にリターンし、再び印刷条件の一覧表示を行い、次に安価な印刷条件を選択し、以上の処理を繰り返す。選択した印刷条件が設定可能と判断した場合（Ｓ４７，ＹＥＳ）、選択された印刷条件を設定し（Ｓ５０）、ステップＳ４にリターンする。
【００７５】
ユーザーにより印刷中断が指示された場合（Ｓ４９，ＮＯ）、準備状況を解除して両面印刷を終了する（Ｓ１４）。
【００７６】
本実施形態によれば、残金の範囲内で複数の印刷条件を提供し、ユーザー好みの印刷条件を選択可能にし印刷を継続するので、カラー両面複写機の使い勝手がよくなる。
【００７７】
（実施形態６）続いて、本発明の実施形態に係る両面画像形成において課金前に第１面画像の画像形成を行い、課金後に第２面画像の画像形成を行うカラー両面複写機について説明する。
図１０は、両面画像形成において課金前に第１面画像の画像形成を行い、課金後に第２面画像の画像形成を行う処理のフロー図であり、フロー図を参照して説明する。まずユーザーによりカラー両面複写機６０の入力装置６１４から、印刷の形態（両面印刷か片面印刷かの区別、本実施形態では両面印刷）、用紙サイズ、印刷枚数等の印刷条件が入力されると、印刷条件は、画像データバス／制御コマンドバス６４を経てシステムコントローラ６１側に伝えられ、システムコントローラは、システムＩ／Ｆ６０７により印刷要求を認識する。そしてこの認識により画像入出力制御装置６３を立ち上げる（Ｓ５１）。
【００７８】
そして、用紙第１面に画像形成するために露光装置４のレーザ光源、画像形成部ａ，ｂ，ｃ，ｄの帯電装置、現像装置等を駆動し、感光体ドラム１０に書込みを行って潜像を形成し、更に現像を行って顕像を形成する。即ち、用紙第１面画像（顕像）を形成し、更に用紙第２面画像（潜像）を形成する（Ｓ５２、Ｓ５３，Ｓ５４）。
【００７９】
このときシステムコントローラ６１のＣＰＵ６０５は、画像形成工程のタイミングを監視しており、用紙第２面画像（顕像）を形成する前のタイミングで、システムＩ／Ｆ６０７、外部機器通信制御６０６により印刷条件をコインラック７０に送信する（Ｓ５５）。
【００８０】
コインラック７０は、図２で説明したように印刷料金を算出し、この印刷料金と投入金額とに基き印刷可否を判断し、印刷可否信号をシステムコントローラ６１に送信する。システムコントローラ６１は印刷可否信号を受信し（Ｓ５６）、ＣＰＵ６０５は印刷可否信号が印刷否かどうかを判断する（Ｓ５７）。印刷否の場合（Ｓ５７，ＹＥＳ）、両面印刷処理を終了する。
【００８１】
印刷否でない、つまり印刷可と判定した場合（Ｓ５７，ＮＯ）、システムコントローラ６１は、コインラックへ課金信号を送信し、コインラックは課金を開始する。課金信号の送信によって電子写真プロセスユニット６２６は、用紙第２面画像（潜像）を現像して顕像を形成する（Ｓ５８）。
【００８２】
転写紙搬送ユニット６２７は、これらの画像形成とタイミングを合わせて給紙カセット２６の最上部にある転写用紙Ｐを引き出し、引き出された転写用紙Ｐは、給紙ガイド２９を経てレジストローラ対２８に搬送される（Ｓ５９）。このときレジストを停止、印刷面の直角性を補正し（Ｓ６０）、第１中間転写ベルト１０に転写された第２面画像と既に第２中間転写ベルト１００に転写された第１面画像が所定の位置で転写用紙に転写されるタイミングで再スタートする（Ｓ６１）。
【００８３】
レジストローラ対２８を通過後、第１中間転写ベルト１０と第２中間転写ベルト１００の間に搬送される転写用紙Ｐの片側の面に、第１中間転写ベルト１０のトナー像が第２転写手段１２０により転写される。この転写用紙Ｐは上方に搬送され、第２中間転写ベルト１００表面のトナー像がチャージャＣＨにより他の面に転写される（Ｓ６２）。トナー像が両面連続転写された転写用紙Ｐは、定着装置３０によりトナー像が定着され、排紙される（Ｓ６３）。そしてこの処理を終了する（Ｓ６４）。
【００８４】
本実施形態によれば、両面画像形成において残金による印刷の可否を決定する前に用紙第１面の画像（顕像）形成まで進め、用紙第２面の画像形成は潜像形成までの準備状態にしておき、可否が決定した後、直ちに用紙第２面の画像（顕像）形成に移行して画像形成を行うので、画像形成の生産性が低下するのを抑制することができる。
【００８５】
（実施形態７）本実施形態に係る両面画像形成において画像形成を行うタイミングを選択して画像形成を行うカラー両面複写機について説明する。
図１１は、両面画像形成において画像形成のタイミングを選択可能にする処理のフロー図であり、フロー図を参照して説明する。まずユーザーによりカラー両面複写機６０の入力装置６１４から、印刷の形態（両面印刷か片面印刷かの区別、本実施形態では両面印刷）、用紙サイズ、印刷枚数、及び課金後に第１面画像及び第２面画像の画像形成を行う「通常処理」（仮称）、又は課金前に第１面画像の画像形成を行い、課金後に第２面画像の画像形成を行う「スピード処理」（仮称）等の処理手法が入力されると、この処理手法は、画像データバス／制御コマンドバス６４を経てシステムコントローラ６１側に伝えられ、システムコントローラ６１は、システムＩ／Ｆ６０７により印刷要求を認識する。そしてこの認識により画像入出力制御装置６３を立ち上げる（Ｓ７１）。
【００８６】
画像入出力制御装置６３が立ち上がると、用紙第１面に画像形成するために露光装置４のレーザ光源、画像形成部ａ，ｂ，ｃ，ｄの帯電装置、現像装置等を駆動し、感光体ドラム１０に書込みを行って原稿第１面の潜像を形成する。即ち、用紙第１面画像、及び第２面画像形成の準備をする（Ｓ７２、Ｓ７３）。
【００８７】
またシステムコントローラ６１のＣＰＵ６０５は、生産性の優先の処理手法が選択されているか否か、つまりスピード処理が選択されているか否かを判断する（Ｓ７４）。
【００８８】
スピード処理が選択されていない場合、つまり通常処理の場合においては（Ｓ７４，ＮＯ）、ステップＳ７５からＳ８５までの処理を行う。このＳ７５からＳ８５までの処理は、実施形態１で述べた図５のステップＳ４からＳ１４までの処理と同じであるので、重複を避けるため説明を省略する。
【００８９】
生産性優先、つまりスピード処理が選択された場合においては（Ｓ７４，ＹＥＳ）、ステップＳ８６からＳ９０、続いてＳ８０からＳ８５までの処理を行う。このステップＳ８６からＳ９０これに続くＳ３０からＳ３５までの処理は、実施形態６で述べた図１０のステップＳ５４からＳ６４までの処理と同じであるので、重複を避けるため説明を省略する。
【００９０】
本実施形態によれば、ユーザーが設定した画像形成処理手法を選択して画像形成を行うことができる。
【００９１】
以上、本発明の実施形態に係るカラー両面複写機について説明したが、画像形成の処理を実行する一連の手順をコンピュータプログラムとして記述し、かつ、このプログラムをフレキシブルディスク、ＣＤ−ＲＯＭ、ＤＶＤ−ＲＯＭ、ＭＯ等の任意の記録媒体に記録し、これをカラー両面複写機のコンピュータに読み取らせることで本発明に係る両面画像形成処理を容易に実施することができる。本プログラムは、記録媒体に記録する以外に、インターネット、イントラネット等の任意のネットワークを介して、カラー複写機のコンピュータに直接読み取らせることも可能である。
【００９２】
なお、実施形態６及び７において、実施形態２乃至５で述べた印刷条件の選択やその表示等の実施形態を適用することができる。また上述の各実施形態に係るカラー両面画像の形成は、モノクロ画像の形成の場合、更には片面画像の形成の場合にも適用することができる。
【００９３】
【発明の効果】
請求項１に対応する効果：片面及び両面画像形成において、用紙片面画像の形成を潜像形成までの工程に進めておき、顕像前のタイミングで印刷料金と投入金額とに基いて印刷可否を判断し、画像形成料金が充足しているときは、直ちに顕像形成工程に移行して画像形成を行うので、用紙１枚当りの画像形成時間が短縮し、従って、全体としての画像形成時間が短縮する。また不足の場合、画像形成作業を中止するので、画像形成の無駄な動作をなくすことができ、またトナーの消費を抑制することができる。
請求項２に対応する効果：両面画像形成において、用紙第１面画像の形成を潜像形成までの工程に進めておき、又は用紙第１面画像の形成を顕像形成までの工程に進め、用紙第２面画像の潜像形成までの工程に進めておくとき、画像形成時間を短縮することができる。
請求項３，４，５に対応する効果：残金が不足する場合においても、印刷枚数を変更することなく画像形成結果物を入手することができる。そして、そのための印刷条件の選択が容易になるので、画像形成装置の使い勝手がよくなる。
請求項６，７に対応する効果：本発明に係る画像形成処理を任意の画像形成装置において容易に実施することができる。
【図面の簡単な説明】
【図１】本発明の実施形態に係るカラー両面複写機及びこれに接続される課金機能を有するコインラックの正面概略図である。
【図２】カラー両面複写機とコインラックの内部構成のブロック図である。
【図３】カラー両面複写機の電装レイアウトのブロック図である。
【図４】電子写真プロセスユニットを説明するためのカラー両面複写機の縦断面図である。
【図５】課金後に両面画像形成を行う処理のフロー図である。
【図６】料金不足時に残金で印刷可能となる印刷条件を設定する処理のフロー図である。
【図７】料金不足時に印刷可能となる印刷条件を選択し表示する処理のフロー図である。
【図８】料金不足時に印刷可能となる印刷条件を選択し表示又は不表示にする処理のフロー図である。
【図９】料金不足時に印刷可能となる印刷条件の一覧から設定可能な印刷条件を選択する処理のフロー図である。
【図１０】両面画像形成において、課金前に第１面画像の画像形成を行い、課金後に第２面画像の画像形成を行う処理のフロー図である。
【図１１】両面画像形成において、課金前に第１面画像の画像形成を行う処理と、課金後に第２面画像の画像形成を行う処理を選択可能にする処理のフロー図である。
【符号の説明】
１・・・感光体ドラム、２・・・クリーニング装置、３・・・帯電装置、４・・・露光装置、５・・・現像装置、１０・・・中間転写ベルト、１１・・・回転ローラ、２０・・・第１転写手段、２５・・・クリーニング装置、２６・・・給紙装置、２７・・・給紙ローラ、２８・・・レジストローラ対、２９・・・搬送ガイド、３０・・・加熱装置、６１・・・システムコントローラ、６２・・・操作パネル制御装置、６３・・・画像入出力制御装置
【図１】
2005024959.tif 000003
【図２】
2005024959.tif 000004
【図３】
2005024959.tif 000005
【図４】
2005024959.tif 000006
【図５】
2005024959.tif 000007
【図６】
2005024959.tif 000008
【図７】
2005024959.tif 000009
【図８】
2005024959.tif 000010
【図９】
2005024959.tif 000011
【図１０】
2005024959.tif 000012
【図１１】
2005024959.tif 000013